(57)【要約】【課題】カム部材が縦長の形状であるため、乗りかご側への複数の取り付け部の中に外部から取り外し操作困難な部分が生じ、カム部材の取り外しを要するリニューアル工事の長期化の原因となっていた。【解決手段】エレベータの乗りかご１１に取り付けられ、その昇降移動に伴い、位置検出スイッチを動作させる縦長のカム部材１２を取り付けたエレベータ装置に対し、カム部材１２の取り外しを要するリニューアル工事を行うリニューアル方法で、リニューアル工事前において、リニューアル予定のエレベータ装置の、乗りかご１１へのカム部材１２の取り付け部１４ａ，１４ｂのうち、乗りかご１１の外部上方または外部下方から取り外し操作が困難な取り付け部の、乗りかご１１側との連結を解除し、かつ、ブラケット１５を設置して、乗りかご１１側への連結を解除した部分を、ブラケット１５に固定しておくことで、リニューアル工事での、カム部材１２取り外しを容易とする。【選択図】図２
2012006693.tif 000002
【特許請求の範囲】
【請求項１】
エレベータの乗りかごに取り付けられ、この乗りかごの昇降移動に伴い、昇降路側に設けられた位置検出スイッチを動作させる縦長のカム部材を取り付けたエレベータ装置に対し、前記カム部材の取り外しを要するリニューアル工事を行うに当たり、
前記リニューアル工事前において、前記リニューアル予定のエレベータ装置の、前記乗りかごへの前記カム部材の取り付け部のうち、乗りかごの外部上方または外部下方から取り外し操作が困難な取り付け部の、前記乗りかご側への連結を解除し、かつ、一端が前記乗りかごの外部上方または外部下方部分に固定され、他端が、前記取り外し操作が困難な取り付け部に達するブラケットを設置して、前記乗りかご側への連結を解除した部分を、前記ブラケットの他端部に固定しておき、
前記リニューアル工事では、前記ブラケットの前記一端の固定を解除することで、前記カム部材の乗りかご側からの取り外しを可能とする
ことを特徴とするエレベータ装置のリニューアル方法。
【請求項２】
前記取り外し操作が困難な取り付け部の、前記乗りかご側への連結を解除した部分を、前記ブラケットの他端部に設けた板ばねによる受け部に一体的に係合させることで固定することを特徴とする請求項１に記載のエレベータ装置のリニューアル方法。
【請求項３】
前記エレベータ装置の新設時に、将来のリニューアル工事のため、前記乗りかごへの前記カム部材の取り付け部のうち、乗りかごの外部上方または外部下方からの取り外し操作が困難な取り付け部を、一端が前記乗りかごの外部上方または外部下方部分に固定され、他端が、前記取り外し操作が困難な取り付け部に達するブラケットの他端部に固定しておくことを特徴とする請求項１に記載のエレベータ装置のリニューアル方法。
【発明の詳細な説明】
【技術分野】
【０００１】
本発明の実施形態は、乗りかごの昇降移動に伴い、昇降路側に設けられた位置検出スイッチを動作させる縦長のカム部材を取り付けたエレベータ装置のリニューアル方法に関する。
【背景技術】
【０００２】
エレベータ装置では、乗りかごに縦長のカム部材を取り付け、この乗りかごの昇降移動に伴い、昇降路側に設けられた位置検出スイッチを動作させ、乗りかごを所定位置に停止させる制御が行われている。このような既設のエレベータ装置を新規なエレベータ装置にリニューアルする場合（既設の乗りかごを残す場合も含む）は、エレベータの運行を全て停止させ、旧装置の撤去、及び新装置の据付工事を行っている。このリニューアル工事中は、当然エレベータの運行は停止され、建物の住人は上下移動手段が失われることになるので、できるだけ短い期間に終了することが望まれる。
【０００３】
このようなリニューアルを行う際、既設の乗りかごをリニューアル後に使用する場合であっても、上述したカム部材をいったん乗りかご側から取り外さなければならない場合がある。例えば、既設の油圧式エレベータ装置を、巻上機と釣合錘により昇降駆動するロープ式のエレベータ装置にリニューアルする場合は、昇降路内に、巻上機や釣合錘などが新たに設置されることから、昇降路内における機器のレイアウトが大きく異なることになる。このため、昇降路内における位置検出用のスイッチの設置位置も変更になることから、これを作動させるために乗りかご側に取り付けられるカム部材の取り付け位置も変更する必要がある。すなわち、リニューアル工事の中に乗りかご側からカム部材を取り外し、これを新規な機器レイアウトに対応した乗りかご側の適切な位置に付け直す工程が必要となる。
【０００４】
このカム部材の取り外し作業は、昇降路内における乗りかご側方のスペースが狭いために、乗りかごの外部上方での作業（例えば、作業員が乗りかごの天井面に載っての作業）、または外部下方からの作業（昇降路下端のピット内からの作業）により行われる。
【０００５】
ここで、カム部材は、縦長の形状であるため、通常、その上下２か所でかご側に取り付けられている。例えば、この縦長のカム部材が、乗りかごの高さ方向の上側に寄せて取り付けられている場合、その上部の取り付け部は、上述した乗りかご天井部に載った作業員の手の届く範囲にあるため、取り外し操作可能である。これに対し、カム部材の下部取り付け部は、乗りかごの高さ方向中間部に位置することになるため、乗りかごの外部上方または外部下方のいずれからも作業者の手が届かず、取り外し操作を行うことができない。このため、乗りかごの側板を取り外して、乗りかご内から、乗りかごの高さ方向中間部に位置する下部固定部の取り外し作業を行っていた。
【先行技術文献】
【特許文献】
【０００６】
【特許文献１】特開平８−３３３０６４号公報
【発明の概要】
【発明が解決しようとする課題】
【０００７】
しかしながら、乗りかごの側板を外す作業方法は大変時間を要する。リニューアル工事の中にその作業が発生すれば、その工期が長くなり、エレベータを利用することが出来ない時間が長くなる。
【課題を解決するための手段】
【０００８】
本発明の実施の形態に係るエレベータ装置のリニューアル方法は、エレベータの乗りかごに取り付けられ、この乗りかごの昇降移動に伴い、昇降路側に設けられた位置検出スイッチを動作させる縦長のカム部材を取り付けたエレベータ装置に対し、前記カム部材の取り外しを要するリニューアル工事を行うに当たり、前記リニューアル工事前において、前記リニューアル予定のエレベータ装置の、前記乗りかごへの前記カム部材の取り付け部のうち、乗りかごの外部上方または外部下方から取り外し操作が困難な取り付け部の、前記乗りかご側への連結を解除し、かつ、一端が前記乗りかごの外部上方または外部下方部分に固定され、他端が、前記取り外し操作が困難な取り付け部に達するブラケットを設置して、前記乗りかご側への連結を解除した部分を、前記ブラケットの他端部に固定しておき、前記リニューアル工事では、前記ブラケットの前記一端の固定を解除することで、前記カム部材の乗りかご側からの取り外しを可能とすることを特徴とする。
【図面の簡単な説明】
【０００９】
【図１】本発明の一実施形態におけるリニューアル対策前の乗りかごのカム部材取り付け構造を示す図である。
【図２】本発明の一実施形態におけるリニューアル対策後の乗りかごのカム部材取り付け構造を示す図である。
【図３】本発明の一実施形態であるエレベータ装置のリニューアル方法を説明するフローチャートである。
【図４】本発明の他の実施形態におけるリニューアル対策後の乗りかごのカム部材取り付け構造を拡大して示す図である。
【発明を実施するための形態】
【００１０】
以下、本発明の実施の形態について、図面を用いて詳細に説明する。
【００１１】
図1は一般的なエレベータ装置の乗りかご１１を示している。この乗りかご１１側には、縦長のカム部材１２が取り付けられている。図1の例では、この縦長のカム部材１２は、その上下２か所の取り付け部１４ａ，１４ｂにより、乗りかご１１側の縦枠１３に取り付けられている。この縦長のカム部材１２は、乗りかご１１の昇降移動に伴い、昇降路側に設けられた図示しない位置検出スイッチと当切して、これを動作させるものである。
【００１２】
このカム部材１２は、エレベータ装置がリニューアルされた場合、前述のようにエレベータ方式が異なるなどの理由により昇降路内の機器レイアウトが異なることから、その乗りかご１１に対するリニューアル後の取り付け位置が異なる場合がある。例えば、図１における乗りかご１１の左面を正面とした場合、カム部材１２は、乗りかご１１の正面から見て右側上部に手前側（図示左方）に面して配置されている。このようなカム部材１２の取り付け位置が、昇降路側の機器レイアウトの違いにより、リニューアル後では乗りかご１１の正面から見て左側上部に、奥側（図示右方）に面して配置されることがある。このような場合、リニューアル工事の中にカム部材１２の取り外し、及び新たな位置への取り付け作業工程を用意しなければならない。
【００１３】
ここで、カム部材１２は、図示のように縦長の形状であるため、通常、その上下２か所で乗りかご１１側に取り付けられている。図１の例ではこの縦長のカム部材１２が、乗りかご１１の高さ方向の上側に寄せて取り付けられている。この場合、その上部の取り付け部１４ａは、乗りかご１１の天井部に載った作業員の手の届く範囲にあるため、取り外し操作可能である。これに対し、カム部材１２の下部取り付け部１４ｂは、乗りかご１１の高さ方向中間部に位置するため、乗りかご１１の外部上方または外部下方のいずれからも作業者の手が届かず、取り外し操作を行うことができない。このため従来は、乗りかご１１の側板を取り外して、乗りかご１１内から、乗りかご１１の高さ方向中間部に位置する下部取り付け部１４ｂの取り外し作業を行っていた。
【００１４】
しかし、乗りかご１１の側板を外して行う作業は多くの時間を要する。したがって、この作業をリニューアル工事で行うことになれば、リニューアル工事の工期が長くなり、エレベータを利用することが出来ない時間が長くなる。
【００１５】
そこで、この発明の実施の形態では、リニューアル予定のエレベータ装置に対して、図３で示すように、リニューアル工事前、例えば、定期点検時などにおいて、カム部材１２を容易に取り外しできるように事前工事を行う（ステップ３１）。すなわち、乗りかご１１への複数の取り付け部分１４ａ，１４ｂのうち、乗りかご１１の外部上方または外部下方からの取り外し操作が困難な取り付け部(この実施の形態では下部取付け部)１４ｂに対して、先ず、乗りかご１１の、カム部材１２が取付けられた側の側板を取り外し（ステップ３１１）、乗りかご１１内から、下部取付け部１４ｂを操作し、その乗りかご１１側への連結を解除する（ステップ３１２）。すなわち、下部取り付け部１４ｂを乗りかご１１側の縦枠１３から切り離しておく。そして、図２で示すようにブラケット１５を設置する。このブラケット１５にはアングル材などを用いており、その一端（図示下端）は、乗りかご１１の外部下方部分(図２の例では、乗りかご１１の床支持部材側面)に、詳細は図示しないが、ボルトなどで固定する。この固定部を下側固定部１４ｃとする。また、その他端（図示上端）は、取り外し操作が困難な下部取り付け部１４ｂに達するように設置する。そして、このブラケット１５の上端部に、下部取付け部１４ｂの乗りかご１１側への連結を解除した部分を、ボルトなどで固定しておく。すなわち、カム部材１２を、追加したブラケット１５を介して下側固定部１４ｃに固定して乗りかご側に取り付ける（ステップ３１３）。これらの作業により、カム部材１２は乗りかご１１に対して、従前と同じ位置関係で固定される。この後、乗りかご１１の側板を取り付け元の状態に復帰させる（ステップ３１４）。
【００１６】
なお、この作業自体はかなりの作業時間を要するが、定期点検作業の一部として行えば、その作業時間が特に問題になることはない。
【００１７】
この後、エレベータ装置は通常とおり使用可能である（ステップ３２）。
【００１８】
エレベータのリニューアル工事（ステップ３３）を実施する際は、乗りかご１１の天井から上側固定部１４ａを取り外し（ステップ３３１）、昇降路ピットから下側固定部１４ｃを取り外す（ステップ３３２）。このため、乗りかご１１の側板を外すことなく、カム部材１２を取外すことができる。この後は、カム部材を新たな取り付け位置に取り付ける（ステップ３３３）ことにより、カム部材１２に対する作業を終了する。
【００１９】
このように、リニューアル工事の前に予め取り外し操作困難な取付け部１４ｂを、容易に取り外しできるように構成しておくことにより、リニューアル工事では、ブラケット１５の下端部の固定、すなわち下側固定部１４ｃを解除することで、これまで取り外し操作困難であった取付け部分１４ｂを容易に取り外すことができる。したがって、カム部材１２の乗りかご１１側に対する取り付け位置変更作業の作業時間を大幅に短縮でき、これが原因で、リニューアル工事期間を長期化させることはなく、エレベータを利用することが出来ない時間が長くなることもない。
【００２０】
上記実施形態では、下部取り付け部１４ｂを乗りかご１１側の縦枠１３から切り離し、これをブラケット１５の上端部にボルトなどで固定していたが、本発明はこのような構造に限定されるものではなく、図４のように構成してもよい。図４は下部取り付け部１４ｂの、乗りかご１１側から切り離した部分を、ブラケット１５に連結する部分を拡大して示している。
【００２１】
図４では、ブラケット１５の上部に、板ばねによる受け部１６を設けている。この受部１６は、ブラケット１５の表面との間に係合用の隙間を形成したものである。これに対し、乗りかご１１側から切り離した下部取り付け部１４ｂの先端部分はＬ型に折り曲げておく。そして、この折り曲げ部分を、板ばねによる受け部１６の隙間内に差し込み、一体的に係合させることで固定する。
【００２２】
このように、板ばねによる受け部１６により乗りかご１１側から切り離し設けた下部取り付け部１４ｂを固定することにより、カム部材１２を取外す際、乗りかご１１の天井から上部取り付け部１４ａを取外し、その後は、単にカム部材１２を引き上げれば、下部取り付け部は板ばねによる受け部１６から引き抜くことができ、カム部材１２の取り外し作業がより一層容易となる。
【００２３】
また、上記実施の形態では、リニューアルが予定されるエレベータ装置について、リニューアル工事前の、例えば定期点検時に事前の工事を行っているが、将来、リニューアルされることがわかっていれば、エレベータ装置の新設時に、カム部材１２の乗りかご１１への複数の取り付け部分１４ａ，１４ｂのうち、乗りかご１１の外部上方または外部下方からの取り外し操作が困難な取り付け部を、ブラケット１５に固定し、その一端を乗りかご１１の外部上方または外部下方部分に固定しておいてもよい。
【００２４】
本発明の実施形態によれば、リニューアル工事期間の短縮により、利用客がエレベータに乗れない期間を短くすることが可能となり、将来的にまた交換作業が発生した場合でも容易に力ム部材の改造が可能になる。
【００２５】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２６】
１１…乗りかご
１２…カム部材
１３…乗りかご側の縦枠
１４ａ，１４ｂ…乗りかご側への取り付け部
１５…ブラケット
１６…板ばねによる受け部
【図１】
2012006693.tif 000003
【図２】
2012006693.tif 000004
【図３】
2012006693.tif 000005
【図４】
2012006693.tif 000006